(57)【要約】【課題】無線通信を用いて１組の入出力機器を複数の情報処理装置間で共用させることが可能な無線通信装置を提供する。【解決手段】無線通信装置10_1,20は、情報処理装置3_1-3_nの識別情報ID1-IDnを3_1-3_nとの通信に使用する無線チャネルCH1_1-CH1_n及びCH2_1-CH2_nと対応付けて記憶し、30_1-30_nは、ID1-IDnをCH2_1-CH2_nと対応付けて記憶する。10_1は、入力機器1_1から入力された入力識別情報IDinを30_1-30_n及び20へ通知すると共に、入力データDinをIDinに対応する無線チャネルを介して送信する。各30_1-30_nは、各ID1-IDnが通知された場合、各3_1-3_nからの出力データDoutを各CH2_1-CH2_nを介して送信する。20は、IDinに対応する無線チャネルを介して一つの情報処理装置のDoutを受信する。【選択図】図１
2010130503.tif 000002
【特許請求の範囲】
【請求項１】
入力機器に接続又は内蔵された無線通信装置であって、
複数の情報処理装置の各識別情報を、各情報処理装置との通信に使用する無線チャネルと対応付けて記憶する記憶部と、
前記入力機器から入力された識別情報を各情報処理装置及び出力機器へ通知すると共に、前記入力機器からの入力データを、前記入力された識別情報に対応する無線チャネルを介して送信する送信部と、
を備えた無線通信装置。
【請求項２】
請求項１において、
前記送信部が、前記入力された識別情報を、各情報処理装置及び前記出力機器と共通に使用する無線チャネルを介して送信することを特徴とした無線通信装置。
【請求項３】
請求項１又は２において、
前記送信部が、前記入力された識別情報を他の入力機器へさらに通知することを特徴とした無線通信装置。
【請求項４】
請求項１〜３のいずれか一項において、
前記出力機器が表示機能を有し、
前記入力機器から予め定めたデータが入力された場合、前記出力機器に対して前記識別情報のリストを表示するよう要求する要求部をさらに備え、
前記送信部が、前記入力データを、前記要求への応答として通知され、且つ前記リスト中からユーザにより選択された識別情報に対応する無線チャネルを介して送信することを特徴とした無線通信装置。
【請求項５】
出力機器に接続又は内蔵された無線通信装置であって、
複数の情報処理装置の各識別情報を、各情報処理装置との通信に使用する無線チャネルと対応付けて記憶する記憶部と、
入力機器から通知された識別情報に対応する無線チャネルを介して、一つの情報処理装置の出力データを受信する受信部と、
を備えた無線通信装置。
【請求項６】
請求項５において、
前記受信部が、前記識別情報を、各情報処理装置及び前記入力機器と共通に使用する無線チャネルを介して受信することを特徴とした無線通信装置。
【請求項７】
請求項５又は６において、
前記出力機器が表示機能を有し、
前記入力機器からの要求に応じて、前記出力機器に前記識別情報のリストを表示する共に、前記リスト中からユーザにより選択された識別情報を前記入力機器へ通知する応答部をさらに備えたことを特徴とする無線通信装置。
【請求項８】
請求項７において、
前記応答部が、前記選択された識別情報を他の出力機器へさらに通知することを特徴とした無線通信装置。
【請求項９】
情報処理装置に接続又は内蔵された無線通信装置であって、
前記情報処理装置の識別情報を、出力機器との通信に使用する無線チャネルと対応付けて記憶する記憶部と、
前記出力機器又は入力機器から前記識別情報が通知された場合、前記情報処理装置からの出力データを、前記無線チャネルを介して送信する送信部と、
を備えた無線通信装置。
【請求項１０】
請求項９において、
前記送信部は、前記出力データの送信中に他の情報処理装置の識別情報が通知された場合、前記出力データの送信を停止することを特徴とする無線通信装置。
【請求項１１】
請求項９又は１０において、
前記記憶部が、前記情報処理装置の識別情報を、前記入力機器との通信に使用する他の無線チャネルとさらに対応付けて記憶し、
前記情報処理装置の識別情報が通知された場合、前記他の無線チャネルを介して受信した前記入力機器からの入力データを、前記情報処理装置に転送する転送部をさらに備えたことを特徴とする無線通信装置。
【請求項１２】
請求項１１において、
前記転送部は、前記入力データの受信中に他の情報処理装置の識別情報が通知された場合、前記入力データの転送を停止することを特徴とした無線通信装置。
【請求項１３】
請求項９〜１２のいずれか一項において、
前記識別情報が、前記出力機器及び入力機器と共通に使用する無線チャネルを介して受信されることを特徴とした無線通信装置。
【請求項１４】
入力機器、出力機器、若しくは情報処理装置に択一的に接続又は内蔵される無線通信装置であって、
前記無線通信装置が、前記入力機器、出力機器、若しくは情報処理装置のいずれに接続又は内蔵されているかを判定する判定部と、
前記入力機器若しくは出力機器に接続又は内蔵されていると判定された場合、複数の情報処理装置の各識別情報を、各情報処理装置との通信に使用する無線チャネルと対応付けて記憶し、前記情報処理装置に接続又は内蔵されていると判定された場合、当該情報処理装置の識別情報を、前記出力機器との通信に使用する無線チャネルと対応付けて記憶する記憶部と、
前記入力機器に接続又は内蔵されていると判定された場合、前記入力機器から入力された識別情報を各情報処理装置及び前記出力機器へ通知すると共に、前記入力機器からの入力データを、前記入力された識別情報に対応する無線チャネルを介して送信し、前記情報処理装置に接続又は内蔵されていると判定され、且つ前記入力機器から当該情報装置の識別情報が通知された場合、当該情報処理装置からの出力データを、当該識別情報に対応する無線チャネルを介して送信する送信部と、
前記出力機器に接続又は内蔵されていると判定された場合、前記入力機器から通知された識別情報に対応する無線チャネルを介して、一つの情報処理装置の出力データを受信する受信部と、
を備えた無線通信装置。
【請求項１５】
入力機器に接続又は内蔵された無線通信装置における通信制御方法であって、
複数の情報処理装置の各識別情報を、各情報処理装置との通信に使用する無線チャネルと対応付けて記憶し、
前記入力機器から入力された識別情報を各情報処理装置及び出力機器へ通知すると共に、前記入力機器からの入力データを、前記入力された識別情報に対応する無線チャネルを介して送信する
通信制御方法。
【請求項１６】
請求項１５において、
前記入力された識別情報を、各情報処理装置及び前記出力機器と共通に使用する無線チャネルを介して送信することを特徴とした通信制御方法。
【請求項１７】
請求項１５又は１６において、
前記入力された識別情報を、他の入力機器へさらに通知することを特徴とした通信制御方法。
【請求項１８】
請求項１５〜１７のいずれか一項において、
前記出力機器が表示機能を有し、且つ前記入力機器から予め定めたデータが入力された場合、前記出力機器に対して前記識別情報のリストを表示するよう要求し、
前記入力データを、前記要求への応答として通知され、且つ前記リスト中からユーザにより選択された識別情報に対応する無線チャネルを介して送信することを特徴とした通信制御方法。
【請求項１９】
出力機器に接続又は内蔵された無線通信装置における通信制御方法であって、
複数の情報処理装置の各識別情報を、各情報処理装置との通信に使用する無線チャネルと対応付けて記憶し、
入力機器から通知された識別情報に対応する無線チャネルを介して、一つの情報処理装置の出力データを受信する
通信制御方法。
【請求項２０】
請求項１９において、
前記識別情報を、各情報処理装置及び前記入力機器と共通に使用する無線チャネルを介して受信することを特徴とした通信制御方法。
【請求項２１】
請求項１９又は２０において、
前記出力機器が表示機能を有する場合、前記入力機器からの要求に応じて、前記出力機器に前記識別情報のリストを表示する共に、前記リスト中からユーザにより選択された識別情報を前記入力機器へ通知することを特徴とする通信制御方法。
【請求項２２】
請求項２１において、
前記選択された識別情報を、他の出力機器へさらに通知することを特徴とした通信制御方法。
【請求項２３】
情報処理装置に接続又は内蔵された無線通信装置における通信制御方法であって、
前記情報処理装置の識別情報を、出力機器との通信に使用する無線チャネルと対応付けて記憶し、
前記出力機器又は入力機器から前記識別情報が通知された場合、前記情報処理装置からの出力データを、前記無線チャネルを介して送信する
を備えた通信制御方法。
【請求項２４】
請求項２３において、
前記出力データの送信中に他の情報処理装置の識別情報が通知された場合、前記出力データの送信を停止することを特徴とする通信制御方法。
【請求項２５】
請求項２３又は２４において、
前記情報処理装置の識別情報を、前記入力機器との通信に使用する他の無線チャネルとさらに対応付けて記憶し、
前記情報処理装置の識別情報が通知された場合、前記他の無線チャネルを介して受信した前記入力機器からの入力データを、前記情報処理装置に転送することを特徴とした通信制御方法。
【請求項２６】
請求項２５において、
前記入力データの受信中に他の情報処理装置の識別情報が通知された場合、前記入力データの転送を停止することを特徴とした通信制御方法。
【請求項２７】
請求項２３〜２６のいずれか一項において、
前記識別情報を、前記出力機器及び入力機器と共通に使用する無線チャネルを介して受信することを特徴とした通信制御方法。
【請求項２８】
入力機器、出力機器、若しくは情報処理装置に択一的に接続又は内蔵される無線通信装置における通信制御方法であって、
前記無線通信装置が、前記入力機器、出力機器、若しくは情報処理装置のいずれに接続又は内蔵されているかを判定し、
前記入力機器に接続又は内蔵されていると判定した場合、複数の情報処理装置の各識別情報を、各情報処理装置との通信に使用する無線チャネルと対応付けて記憶し、前記入力機器から入力された識別情報を各情報処理装置及び前記出力機器へ通知すると共に、前記入力機器からの入力データを、前記入力された識別情報に対応する無線チャネルを介して送信し、
前記出力機器に接続又は内蔵されていると判定した場合、各識別情報を、各情報処理装置との通信に使用する無線チャネルと対応付けて記憶し、前記入力機器から通知された識別情報に対応する無線チャネルを介して、一つの情報処理装置の出力データを受信し、
前記情報処理装置に接続又は内蔵されていると判定した場合、当該情報処理装置の識別情報を、前記出力機器との通信に使用する無線チャネルと対応付けて記憶し、さらに前記入力機器から当該情報装置の識別情報が通知された場合、当該情報処理装置からの出力データを、当該識別情報に対応する無線チャネルを介して送信する
通信制御方法。
【請求項２９】
入力機器と、出力機器と、複数の情報処理装置と、前記入力機器に接続又は内蔵された無線通信装置と、前記出力機器に接続又は内蔵された無線通信装置と、前記複数の情報処理装置に接続又は内蔵された複数の無線通信装置と、を備え、
前記入力機器に接続又は内蔵された無線通信装置が、
前記複数の情報処理装置の各識別情報を、各情報処理装置との通信に使用する無線チャネルと対応付けて記憶し、
前記入力機器から入力された識別情報を、各情報処理装置及び前記出力機器にそれぞれ接続又は内蔵された無線通信装置へ通知すると共に、前記入力機器からの入力データを、前記入力された識別情報に対応する無線チャネルを介して送信し、
前記出力機器に接続又は内蔵された無線通信装置が、
各識別情報を、各情報処理装置との通信に使用する無線チャネルと対応付けて記憶し、
通知された識別情報に対応する無線チャネルを介して、一つの情報処理装置の出力データを受信し、
各無線通信装置に接続又は内蔵された各無線通信装置が、
各識別情報を、前記出力機器との通信に使用する無線チャネルと対応付けて記憶し、
各識別情報が通知された場合、各情報処理装置からの出力データを、各識別情報に対応する無線チャネルを介して送信する
情報処理システム。
【発明の詳細な説明】
【技術分野】
【０００１】
本発明は、無線通信装置及びその通信制御方法、並びに情報処理システムに関し、特に１組の入出力機器を複数の情報処理装置に択一的に接続させる無線通信装置及びその通信制御方法、並びに情報処理システムに関する。
【背景技術】
【０００２】
一般的な情報処理システムにおいては、情報処理装置(サーバ等)の設置数増大等に対処するため、１組の入出力機器を複数の情報処理装置に択一的に接続させる入出力切替器が用いられている。より具体的には、図１４に示す如く、キーボード等の入力機器１、ディスプレイ等の出力機器２、及びｎ台の情報処理装置３＿１〜３＿ｎ(以下、符号３で総称することがある)に有線ケーブル４を介して接続された入出力切替器５が、入力機器１からの入力データＤｉｎを情報処理装置３＿１〜３＿ｎのいずれかへ転送し、当該情報処理装置からの出力データＤｏｕｔを出力機器２へ転送する。
【特許文献１】実開平３−９４８５５号公報
【発明の開示】
【発明が解決しようとする課題】
【０００３】
しかしながら、上記の情報処理システムには、有線ケーブル及び入出力切替器の設置コストや接続の手間が掛かる上に、誤接続が生じ易いという問題があった。また、有線ケーブルを用いるため、情報処理装置の設置場所が入出力機器に近い場所に制限されてしまうという問題もあった。
【０００４】
これらの問題に対処する技術として、特許文献１には、入力機器が、入力データを無線信号として送出すると共に、当該無線信号の送出に使用するチャネル周波数を情報処理装置毎に切り替える情報処理システムが記載されている。この場合、有線ケーブル及び入出力切替器が不要となるが、出力機器の接続先を切り替えることができない(すなわち、出力機器を情報処理装置間で共用できない)という課題があった。
【０００５】
従って、本発明は、無線通信を用いて、１組の入出力機器を複数の情報処理装置間で共用させることが可能な無線通信装置及びその通信制御方法、並びに情報処理システムを提供することを目的とする。
【課題を解決するための手段】
【０００６】
上記の目的を達成するため、本発明の第１の態様に係る無線通信装置は、入力機器に接続又は内蔵され、複数の情報処理装置の各識別情報を、各情報処理装置との通信に使用する無線チャネルと対応付けて記憶する記憶部と、前記入力機器から入力された識別情報を各情報処理装置及び出力機器へ通知すると共に、前記入力機器からの入力データを、前記入力された識別情報に対応する無線チャネルを介して送信する送信部とを備える。
【０００７】
また、本発明の第２の態様に係る無線通信装置は、出力機器に接続又は内蔵され、複数の情報処理装置の各識別情報を、各情報処理装置との通信に使用する無線チャネルと対応付けて記憶する記憶部と、入力機器から通知された識別情報に対応する無線チャネルを介して、一つの情報処理装置の出力データを受信する受信部とを備える。
【０００８】
また、本発明の第３の態様に係る無線通信装置は、情報処理装置に接続又は内蔵され、前記情報処理装置の識別情報を、出力機器との通信に使用する無線チャネルと対応付けて記憶する記憶部と、前記出力機器又は入力機器から前記識別情報が通知された場合、前記情報処理装置からの出力データを、前記無線チャネルを介して送信する送信部とを備える。
【０００９】
また、本発明の第４の態様に係る無線通信装置は、入力機器、出力機器、若しくは情報処理装置に択一的に接続又は内蔵され、前記無線通信装置が、前記入力機器、出力機器、若しくは情報処理装置のいずれに接続又は内蔵されているかを判定する判定部と、前記入力機器若しくは出力機器に接続又は内蔵されていると判定された場合、複数の情報処理装置の各識別情報を、各情報処理装置との通信に使用する無線チャネルと対応付けて記憶し、前記情報処理装置に接続又は内蔵されていると判定された場合、当該情報処理装置の識別情報を、前記出力機器との通信に使用する無線チャネルと対応付けて記憶する記憶部と、前記入力機器に接続又は内蔵されていると判定された場合、前記入力機器から入力された識別情報を各情報処理装置及び前記出力機器へ通知すると共に、前記入力機器からの入力データを、前記入力された識別情報に対応する無線チャネルを介して送信し、前記情報処理装置に接続又は内蔵されていると判定され、且つ前記入力機器から当該情報装置の識別情報が通知された場合、当該情報処理装置からの出力データを、当該識別情報に対応する無線チャネルを介して送信する送信部と、前記出力機器に接続又は内蔵されていると判定された場合、前記入力機器から通知された識別情報に対応する無線チャネルを介して、一つの情報処理装置の出力データを受信する受信部とを備える。
【００１０】
また、本発明の第５の態様に係る通信制御方法は、入力機器に接続又は内蔵された無線通信装置における通信制御方法を提供する。この通信制御方法は、複数の情報処理装置の各識別情報を、各情報処理装置との通信に使用する無線チャネルと対応付けて記憶し、前記入力機器から入力された識別情報を各情報処理装置及び出力機器へ通知すると共に、前記入力機器からの入力データを、前記入力された識別情報に対応する無線チャネルを介して送信する。
【００１１】
また、本発明の第６の態様に係る通信制御方法は、出力機器に接続又は内蔵された無線通信装置における通信制御方法を提供する。この通信制御方法は、複数の情報処理装置の各識別情報を、各情報処理装置との通信に使用する無線チャネルと対応付けて記憶し、入力機器から通知された識別情報に対応する無線チャネルを介して、一つの情報処理装置の出力データを受信する。
【００１２】
また、本発明の第７の態様に係る通信制御方法は、情報処理装置に接続又は内蔵された無線通信装置における通信制御方法を提供する。この通信制御方法は、前記情報処理装置の識別情報を、出力機器との通信に使用する無線チャネルと対応付けて記憶し、前記出力機器又は入力機器から前記識別情報が通知された場合、前記情報処理装置からの出力データを、前記無線チャネルを介して送信する。
【００１３】
また、本発明の第８の態様に係る通信制御方法は、入力機器、出力機器、若しくは情報処理装置に択一的に接続又は内蔵される無線通信装置における通信制御方法を提供する。この通信制御方法は、前記無線通信装置が、前記入力機器、出力機器、若しくは情報処理装置のいずれに接続又は内蔵されているかを判定し、前記入力機器に接続又は内蔵されていると判定した場合、複数の情報処理装置の各識別情報を、各情報処理装置との通信に使用する無線チャネルと対応付けて記憶し、前記入力機器から入力された識別情報を各情報処理装置及び前記出力機器へ通知すると共に、前記入力機器からの入力データを、前記入力された識別情報に対応する無線チャネルを介して送信し、前記出力機器に接続又は内蔵されていると判定した場合、各識別情報を、各情報処理装置との通信に使用する無線チャネルと対応付けて記憶し、前記入力機器から通知された識別情報に対応する無線チャネルを介して、一つの情報処理装置の出力データを受信し、前記情報処理装置に接続又は内蔵されていると判定した場合、当該情報処理装置の識別情報を、前記出力機器との通信に使用する無線チャネルと対応付けて記憶し、さらに前記入力機器から当該情報装置の識別情報が通知された場合、当該情報処理装置からの出力データを、当該識別情報に対応する無線チャネルを介して送信する。
【００１４】
さらに、本発明の第９の態様に係る情報処理システムは、入力機器と、出力機器と、複数の情報処理装置と、前記入力機器に接続又は内蔵された無線通信装置と、前記出力機器に接続又は内蔵された無線通信装置と、前記複数の情報処理装置に接続又は内蔵された複数の無線通信装置とを備える。前記入力機器に接続又は内蔵された無線通信装置は、前記複数の情報処理装置の各識別情報を、各情報処理装置との通信に使用する無線チャネルと対応付けて記憶し、前記入力機器から入力された識別情報を、各情報処理装置及び前記出力機器にそれぞれ接続又は内蔵された無線通信装置へ通知すると共に、前記入力機器からの入力データを、前記入力された識別情報に対応する無線チャネルを介して送信する。前記出力機器に接続又は内蔵された無線通信装置は、各識別情報を、各情報処理装置との通信に使用する無線チャネルと対応付けて記憶し、通知された識別情報に対応する無線チャネルを介して、一つの情報処理装置の出力データを受信する。各無線通信装置に接続又は内蔵された各無線通信装置は、各識別情報を、前記出力機器との通信に使用する無線チャネルと対応付けて記憶し、各識別情報が通知された場合、各情報処理装置からの出力データを、各識別情報に対応する無線チャネルを介して送信する。
【発明の効果】
【００１５】
本発明によれば、無線通信を用いて、１組の入出力機器を複数の情報処理装置間で共用させることができる。このため、入出力機器と情報処理装置の間における誤接続の発生を抑止すると共に、情報処理装置の設置コスト及び設置場所に対する制限を低減させることが可能である。
【発明を実施するための最良の形態】
【００１６】
以下、本発明に係る無線通信装置及びこれを適用する情報処理システムの実施の形態１〜３を、図１〜図１３を参照して説明する。なお、各図面において、同一要素には同一の符号が付されており、説明の明確化のため、必要に応じて重複説明は省略される。
【００１７】
[実施の形態１]
図１に示す本実施の形態に係る情報処理システム１００は、入力機器(キーボード)１＿１と、出力機器(ディスプレイ)２と、ｎ台の情報処理装置３＿１〜３＿ｎと、入力機器１＿１に接続された無線通信装置１０＿１と、出力機器２に接続された無線通信装置２０と、情報処理装置３＿１〜３＿ｎにそれぞれ接続されたｎ台の無線通信装置３０＿１〜３０＿ｎ(以下、符号３０で総称することがある)とで構成されている。ここで、無線通信装置１０＿１、無線通信装置２０、及び無線通信装置３０は、それぞれ、入力機器１＿１、出力機器２、及び情報処理装置３に内蔵されても良い。
【００１８】
無線通信装置１０＿１は、情報処理装置３＿１〜３＿ｎの識別情報ＩＤ１〜ＩＤｎを、情報処理装置３＿１〜３＿ｎとの通信に使用する無線チャネルＣＨ１＿１〜ＣＨ１＿ｎ(以下、符号ＣＨ１で総称することがある)と対応付けて記憶する。また、無線通信装置１０＿１は、入力機器１から入力された識別情報(以下、入力識別情報と呼称する)ＩＤｉｎを、無線通信装置２０及び３０へ通知する。より具体的には、無線通信装置１０＿１は、入力識別情報ＩＤｉｎを、無線通信装置２０及び３０と共通に使用する無線チャネル(以下、共通無線チャネルと呼称する)ＣＨｃｍｎを介して送信する。そして、無線通信装置１０＿１は、入力機器１＿１からの入力データＤｉｎを、入力識別情報ＩＤｉｎに対応する無線チャネルを介して送信する。
【００１９】
図示の例では、入力識別情報ＩＤｉｎ＝"ＩＤ１"であるため、無線通信装置１０＿１は、入力データＤｉｎを、無線チャネルＣＨ１＿１を介して送信する。そして、無線通信装置３０＿１は、無線チャネルＣＨ１_１を介して受信した入力データＤｉｎを、情報処理装置３＿１へ転送する。これにより、情報処理装置３＿１は、入力データＤｉｎに応じた所望の処理を実行することができる。
【００２０】
また、無線通信装置３０＿１〜３０＿ｎは、識別情報ＩＤ１〜ＩＤｎを、出力機器２との通信に使用する無線チャネルＣＨ２＿１〜ＣＨ２_ｎ(以下、符号ＣＨ２で総称することがある)と対応付けて記憶する。そして、無線通信装置３０＿１〜３０＿ｎは、それぞれ、無線通信装置１０＿１から通知された入力識別情報ＩＤｉｎが識別情報ＩＤ１〜ＩＤｎである場合に、情報処理装置３＿１〜３＿ｎからの出力データを、識別情報ＩＤ１〜ＩＤｎに対応する無線チャネルＣＨ２＿１〜ＣＨ２_ｎを介して送信する。
【００２１】
図示の例では、入力識別情報ＩＤｉｎ＝"ＩＤ１"であるため、無線通信装置３０＿１のみが、情報処理装置３＿１からの出力データＤｏｕｔを、無線チャネルＣＨ２＿１を介して送信する。このため、無線チャネルＣＨ２＿１〜ＣＨ２_ｎには、同一のチャネル周波数を使用することができ、以て無線リソースの消費量を低減できる。
【００２２】
また、無線通信装置２０は、識別情報ＩＤ１〜ＩＤｎを無線チャネルＣＨ２＿１〜ＣＨ２_ｎと対応付けて記憶する。そして、無線通信装置２０は、無線通信装置１０＿１から通知された入力識別情報ＩＤｉｎに対応する無線チャネルを介して、一つの情報処理装置の出力データを受信する。
【００２３】
図示の例では、入力識別情報ＩＤｉｎ＝"ＩＤ１"であるため、無線通信装置２０は、無線チャネルＣＨ２_１を介して出力データＤｏｕｔを受信し、出力機器２へ転送する。これにより、出力機器２は、情報処理装置３＿１による処理結果である出力データＤｏｕｔを表示することができる。なお、出力機器２には、ディスプレイに限らず、プリンタ等の種々の出力機器を用いても良い。
【００２４】
このように、本実施の形態においては、無線通信を用いて、１組の入出力機器を複数の情報処理装置間で共用させることができる。このため、入出力機器と情報処理装置の間における誤接続の発生を、図１４に示した情報処理システムと比較して大幅に抑止することができる。また、情報処理装置の設置コスト及び設置場所に対する制限も低減される。
【００２５】
なお、図１に点線で示す如くマウス等の入力機器１＿２を用いる場合には、入力機器１＿２に無線通信装置１０＿２を接続する。この場合、無線通信装置１０＿１は、入力識別情報ＩＤｉｎを、無線通信装置１０＿２にも通知する。
【００２６】
無線通信装置１０＿２は、識別情報ＩＤ１〜ＩＤｎを、情報処理装置３＿１〜３＿ｎとの通信に使用する無線チャネルＣＨ３＿１〜ＣＨ３＿ｎ(以下、符号ＣＨ３で総称することがある)と対応付けて記憶する。そして、無線通信装置１０＿２は、入力機器１＿２からの入力データ(図示せず)を、無線通信装置１０＿１から通知された入力識別情報ＩＤｉｎに対応する無線チャネルを介して送信する。
【００２７】
図示の例では、入力識別情報ＩＤｉｎ＝"ＩＤ１"であるため、無線通信装置１０＿２は、当該入力データを、無線チャネルＣＨ３＿１を介して送信する。これにより、当該入力データは、入力機器１＿１からの入力データＤｉｎと同様、無線通信装置３０＿１を経由して情報処理装置３＿１へ到達することとなる。
【００２８】
なお、以降の説明においては、入力機器１＿１及び１＿２を符号１で総称し、無線通信装置１０＿１及び１０＿２を符号１０で総称することがある。
【００２９】
以下、図１に示した無線通信装置１０、２０、及び３０のより詳細な構成例及び動作例を、図２〜図６を参照して説明する。
【００３０】
まず、無線通信装置１０は、図２に示すように、記憶部１１と、送信部１２と、図１に示した入力機器１とのインタフェースとして機能する入力機器インタフェース１３と、無線信号の送受信や変復調等を行う無線インタフェース１４とを備えている。
【００３１】
記憶部１１は、無線インタフェース１４から、周知の制御により無線通信装置３０との間で使用が決定された無線チャネルに関する情報(以下、無線チャネル情報)ＩＮＦＯ＿ＣＨを取得する。記憶部１１は、無線チャネル情報ＩＮＦＯ＿ＣＨを参照して図１に示した無線チャネルＣＨ１＿１〜ＣＨ１＿ｎ(又はＣＨ３＿１〜ＣＨ３＿ｎ)を特定し、情報処理装置３＿１〜３＿ｎの識別情報ＩＤ１〜ＩＤｎとそれぞれ対応付けて記憶する。ここで、識別情報ＩＤ１〜ＩＤｎは、情報処理装置３＿１〜３＿ｎに予め付与された情報(デバイスＩＤやＭＡＣアドレス等)であっても良いし、記憶部１１が新たに付与しても良い。後者の場合、記憶部１１は、無線インタフェース１４を制御して、新たに付与した識別情報ＩＤ１〜ＩＤｎを、共通無線チャネルＣＨｃｍｎを介して送信し、以て識別情報ＩＤ１〜ＩＤｎを無線通信装置２０及び３０へ通知する。
【００３２】
また、送信部１２は、無線インタフェース１４を制御して、入力機器インタフェース１３を介して受信した入力識別情報ＩＤｉｎを、共通無線チャネルＣＨｃｍｎを介して送信し、以て入力識別情報ＩＤｉｎを無線通信装置２０及び３０へ通知する。また、送信部１２は、記憶部１１に記憶された無線チャネル情報ＩＮＦＯ＿ＣＨを参照して、入力識別情報ＩＤｉｎに対応する無線チャネルＣＨ１(又はＣＨ３)を特定する。そして、送信部１２は、入力機器インタフェース１３を介して受信した入力データＤｉｎを、無線チャネルＣＨ１(又はＣＨ３)を介して送信し、以て入力データＤｉｎを無線通信装置３０＿１〜３０＿ｎのいずれかへ転送する。なお、無線通信装置１０＿２においては、送信部１２は、入力識別情報ＩＤｉｎの受信並びに無線通信装置２０及び３０への通知を行う必要がない。
【００３３】
次に、無線通信装置２０は、図３に示すように、記憶部２１と、受信部２２と、図１に示した出力機器２とのインタフェースとして機能する出力機器インタフェース２３と、無線信号の送受信や変復調等を行う無線インタフェース２４とを備えている。
【００３４】
記憶部２１は、無線インタフェース２４から取得した無線チャネル情報ＩＮＦＯ＿ＣＨを参照して図１に示した無線チャネルＣＨ２＿１〜ＣＨ２＿ｎを特定し、識別情報ＩＤ１〜ＩＤｎとそれぞれ対応付けて記憶する。なお、記憶部２１が、上記の記憶部１１に代わって、識別情報ＩＤ１〜ＩＤｎを新たに付与しても良い。この場合、記憶部２１は、識別情報ＩＤ１〜ＩＤｎを無線通信装置１０及び３０へ通知する。
【００３５】
また、受信部２２は、記憶部２１に記憶された無線チャネル情報ＩＮＦＯ＿ＣＨを参照して、無線インタフェース２４を介して受信した入力識別情報ＩＤｉｎに対応する無線チャネル(ＣＨ２＿１〜ＣＨ２_ｎのいずれか)を特定する。そして、受信部２２は、無線チャネルＣＨ２＿１〜ＣＨ２_ｎのいずれかを介して、情報処理装置３＿１〜３＿ｎのいずれかからの出力データＤｏｕｔを受信し、出力機器インタフェース２３を介して出力機器２へ転送する。
【００３６】
最後に、無線通信装置３０は、図４に示すように、記憶部３１と、送信部３２と、情報処理装置３とのインタフェースとして機能する情報処理装置インタフェース３３と、無線信号の送受信や変復調等を行う無線インタフェース３４とを備えている。
【００３７】
記憶部３１は、無線インタフェース３４から取得した無線チャネル情報ＩＮＦＯ＿ＣＨを参照して図１に示した無線チャネルＣＨ２＿１〜ＣＨ２＿ｎを特定し、識別情報ＩＤ１〜ＩＤｎとそれぞれ対応付けて記憶する。
【００３８】
また、送信部３２は、記憶部３１に記憶された無線チャネル情報ＩＮＦＯ＿ＣＨを参照して、無線インタフェース３４を介して受信した入力識別情報ＩＤｉｎに対応する無線チャネル(ＣＨ２＿１〜ＣＨ２_ｎのいずれか)を特定する。そして、送信部３２は、情報処理装置インタフェース３３を介して受信した出力データＤｏｕｔを、無線チャネルＣＨ２＿１〜ＣＨ２_ｎのいずれかを介して送信し、以て出力データＤｏｕｔを無線通信装置２０へ転送する。
【００３９】
なお、図示を省略するが、無線インタフェース３４は、無線チャネルＣＨ１(又はＣＨ３)を介して受信した入力データＤｉｎを、情報処理装置インタフェース３３を経由して情報処理装置３へ転送する。また、情報処理装置インタフェース３３は、無線通信装置３０が無線通信装置１０及び２０の接続対象で無い場合であっても、周知の制御により、情報処理装置３に入力機器１及び出力機器２があたかも接続されているかのように振る舞う。
【００４０】
以下、無線通信装置１０、２０、及び３０の動作を説明するが、まず識別情報及び無線チャネルの記憶動作例を、図５を参照して説明する。そして、入力機器及び出力機器の接続先切替動作例を、図６を参照して説明する。
【００４１】
[識別情報及び無線チャネルの記憶動作例]
図５に示す情報処理装置３＿１〜３＿ｎをこの順に起動する場合を例に取ると、まず、無線通信装置１０＿１内の記憶部１１は、無線インタフェース１４により無線通信装置３０＿１との通信に使用する無線チャネルＣＨ１＿１が決定された際に、情報処理装置３＿１に対する識別情報ＩＤ１を付与する。
【００４２】
そして、記憶部１１は、付与した識別情報(以下、付与識別情報と呼称する)ＩＤａｓｇ＝"ＩＤ１"を、無線通信装置１０＿２、２０、及び３０＿１へ通知する。これと並行して、記憶部１１は、識別情報ＩＤ１を、無線チャネルＣＨ１＿１と対応付けて記憶する。
【００４３】
一方、付与識別情報ＩＤａｓｇを受けた無線通信装置１０＿２内の記憶部１１は、無線通信装置３０＿１との通信に使用する無線チャネルＣＨ３＿１が決定された際に、付与識別情報ＩＤａｓｇ＝"ＩＤ１"と、無線チャネルＣＨ３＿１とを対応付けて記憶する。
【００４４】
同様に、無線通信装置２０内の記憶部２１は、無線通信装置３０＿１との通信に使用する無線チャネルＣＨ２＿１が決定された際に、付与識別情報ＩＤａｓｇ＝"ＩＤ１"と、無線チャネルＣＨ２＿１とを対応付けて記憶する。また、無線通信装置３０＿１内の記憶部３１は、付与識別情報ＩＤａｓｇ＝"ＩＤ１"と、無線チャネルＣＨ２＿１とを対応付けて記憶する。
【００４５】
以降、無線通信装置１０＿１、１０＿２、２０、及び３０＿２〜３０＿ｎは、上記と同様の処理を、情報処理装置３＿２〜３＿ｎが順次起動される度毎に行う。
【００４６】
これにより、図示の如く、無線通信装置１０＿１は、識別情報ＩＤ１〜ＩＤｎを、無線チャネルＣＨ１＿１〜ＣＨ１＿ｎとそれぞれ対応付けて記憶する。また、無線通信装置１０＿２は、識別情報ＩＤ１〜ＩＤｎを、無線チャネルＣＨ３＿１〜ＣＨ３＿ｎとそれぞれ対応付けて記憶する。また、無線通信装置２０は、識別情報ＩＤ１〜ＩＤｎを、無線チャネルＣＨ２＿１〜ＣＨ２＿ｎとそれぞれ対応付けて記憶する。さらに、無線通信装置３０＿１、３０＿２、…、３０＿ｎは、それぞれ、識別情報ＩＤ１、ＩＤ２、…、ＩＤｎを、無線チャネルＣＨ２＿１、ＣＨ２＿２、…ＣＨ２＿ｎと対応付けて記憶する。
【００４７】
[入力機器及び出力機器の接続先切替動作例]
入力機器１＿１及び１＿２、並びに出力機器２の接続先を、図６に示す情報処理装置３＿１から情報処理装置３＿２へ切り替える場合を例に取ると、まず、無線通信装置１０＿１内の送信部１２は、入力機器１＿１からの入力識別情報ＩＤｉｎ＝"ＩＤ２"を、無線通信装置１０＿２、２０、及び３０＿１〜３０＿ｎへ通知する。そして、送信部１２は、入力機器１＿１からの入力データＤｉｎを、識別情報ＩＤ２に対応する無線チャネルＣＨ１＿２を介して送信する。
【００４８】
一方、入力識別情報ＩＤｉｎを受けた無線通信装置１０＿２内の送信部１２は、入力機器１＿２からの入力データ(図示せず)を、識別情報ＩＤ２に対応する無線チャネルＣＨ３_２を介して送信する。
【００４９】
また、無線通信装置３０＿１内の送信部３２は、入力識別情報ＩＤｉｎが情報処理装置３＿１に対して付与された識別情報ＩＤ１と異なるため、無線チャネルＣＨ２＿１を介した情報処理装置３＿１からの出力データＤｏｕｔの送信を停止する。
【００５０】
また、無線通信装置３０＿２内の送信部３２は、入力識別情報ＩＤｉｎが情報処理装置３＿２に対して付与された識別情報ＩＤ１と一致するため、情報処理装置３＿２からの出力データＤｏｕｔを、無線チャネルＣＨ２＿２を介して送信する。
【００５１】
また、無線通信装置３０＿３〜３０＿ｎ内の送信部３２は、入力識別情報ＩＤｉｎが情報処理装置３＿３〜３＿ｎに対して付与された識別情報ＩＤ３〜ＩＤｎと異なるため、何らデータ送信を行わない。
【００５２】
また、無線通信装置２０内の受信部２２は、無線通信装置３０＿２から送信された出力データＤｏｕｔを、識別情報ＩＤ２に対応する無線チャネルＣＨ３_２を介して受信する。
【００５３】
このように、入力機器１＿１及び１＿２、並びに出力機器２の接続先を、情報処理装置３＿２に一斉に切り替えることができる。
【００５４】
また、図７に示す如く無線通信装置を構成することもできる。この無線通信装置４０は、記憶部４１と、送信部４２と、受信部４３と、入力機器１、出力機器２、又は情報処理装置３を択一的に接続可能な機器／装置インタフェース４４と、無線信号の送受信や変復調等を行う無線インタフェース４５と、判定部４６とを備えている。
【００５５】
記憶部４１は、図２〜図４に示した記憶部１１、２１、及び３１を含む。送信部４２は、図２及び図３に示した送信部１１及び２２を含む。受信部４３は、図３に示した受信部２２を含む。すなわち、無線通信装置４０は、無線通信装置１０、２０、及び３０の各機能を有している。
【００５６】
また、判定部４６は、例えば、機器／装置インタフェース４４に接続される機器又は装置の固有情報ＩＮＦＯ＿ＵＮＱを取得すると共に、この情報ＩＮＦＯ＿ＵＮＱに基づき、無線通信装置４０に入力機器１、出力機器２、及び情報処理装置３のいずれが接続されているか判定する。
【００５７】
この結果、入力機器１が接続されていると判定した場合、判定部４６は、機能選択指示ＩＮＳにより、記憶部４１に対して記憶部１１を有効にし、送信部４２に対して送信部１２を有効にし、受信部４３に対して機能を無効にするよう指示する。この場合、無線通信装置４０は、無線通信装置１０と同様に動作できる。
【００５８】
出力機器２が接続されていると判定した場合、判定部４６は、機能選択指示ＩＮＳにより、記憶部４１に対して記憶部２１を有効にし、送信部４２に対して送信部２２を有効にし、受信部４３に対して機能を無効にするよう指示する。この場合、無線通信装置４０は、無線通信装置２０と同様に動作できる。
【００５９】
情報処理装置３が接続されていると判定した場合、判定部４６は、機能選択指示ＩＮＳにより、記憶部４１に対して記憶部３１を有効にし、送信部４２に対して機能を無効にし、受信部４３に対して受信部２２を有効にするよう指示する。この場合、無線通信装置４０は、無線通信装置３０と同様に動作できる。
【００６０】
このように無線通信装置４０を構成することにより、製造工程の効率化やコスト削減等を図ることができる。なお、以下の実施の形態２及び３における無線通信装置の各機能を、無線通信装置４０と同様に統合しても良い。
【００６１】
[実施の形態２]
図８に示す本実施の形態に係る無線通信装置１０ａは、図２に示した無線通信装置１０の構成に加えて要求部１５を備えている点と、送信部１２が選択識別情報ＩＤｓｅｌを受信する点とが上記の実施の形態１と異なる。また、図９に示す本実施の形態に係る無線通信装置２０ａは、図３に示した無線通信装置２０の構成に加えて、応答部２５を備えている点が上記の実施の形態１と異なる。
【００６２】
要求部１５は、入力機器１からの特殊入力データＤｓｐをトリガとして、リスト表示要求ＲＥＱを、共通無線チャネルＣＨｃｍｎを介して送信する。ここで、特殊入力データＤｓｐは、例えば、キーボードの所定のキーを押下した際に得られるコードや、キーボードから入力された所定の文字列等である。一方、リスト表示要求ＲＥＱは、出力機器(ディスプレイ)２に識別情報ＩＤ１〜ＩＤｎのリストＬＳＴを表示させるための要求である。また、送信部１２は、共通無線チャネルＣＨｃｍｎを介して、ユーザ(図示せず)によりリストＬＳＴ中から選択された識別情報ＩＤｓｅｌを受信すると共に、入力機器１からの入力データＤｉｎを、選択識別情報ＩＤｓｅｌに対応する無線チャネルを介して送信する。
【００６３】
また、応答部２５は、リスト表示要求ＲＥＱの受信をトリガとして、記憶部２１から取得した識別情報ＩＤ１〜ＩＤｎを、出力機器インタフェース２３を介して出力機器２に与え、以てリストＬＳＴをディスプレイ画面上に表示させる。応答部２５は、出力機器２から取得した選択識別情報ＩＤｓｅｌを、共通無線チャネルＣＨｃｍｎを介して送信する。
【００６４】
動作においては、図１０に示すように、まず無線通信装置１０ａ内の要求部１５が、入力機器１＿１からの特殊入力データＤｓｐを受信する。この時、要求部１５は、リスト表示要求ＲＥＱを、共通無線チャネルＣＨｃｍｎを介して送信する。
【００６５】
リスト表示要求ＲＥＱを受けた無線通信装置２０ａ内の応答部２５は、リストＬＳＴを出力機器２に与える。出力機器２は、図示の如く、ディスプレイ画面上に識別情報ＩＤ１〜ＩＤｎのリストＬＳＴを表示する。なお、リストＬＳＴの表示に際して、現在、出力機器２の接続先としている情報処理装置の識別情報に所定のマーク等を付加表示しても良い。
【００６６】
ユーザにより識別情報ＩＤ１〜ＩＤｎのいずれかが選択されると、応答部２５は、当該識別情報を、選択識別情報ＩＤｓｅｌとして共通無線チャネルＣＨｃｍｎを介して送信する。
【００６７】
選択識別情報ＩＤｓｅｌを受けた無線通信装置１０ａ＿１、１０ａ＿２、３０＿１〜３０＿ｎは、選択識別情報ＩＤｓｅｌを入力識別データＩＤｉｎと等価に扱い、以て、上記の実施の形態１と同様に動作する。なお、他の出力機器(図示せず)を用いる場合は、選択識別情報ＩＤｓｅｌは、当該出力機器に接続される無線通信装置にも通知されることとなる。
【００６８】
このように、本実施の形態においては、上記の実施の形態１と同様に入力機器及び出力機器を複数の情報処理装置間で共用させることができる。また、ユーザが入力機器及び出力機器の接続先を正確に選択できるため、誤接続の発生を上記の実施の形態１よりさらに抑止することができる。
【００６９】
[実施の形態３]
図１１に示す本実施の形態に係る無線通信装置３０ａは、図４に示した無線通信装置３０の構成に加えて転送部３５を備えている点と、記憶部３１が入力機器１との通信に使用する無線チャネルも記憶する点とが上記の実施の形態１と異なる。なお、入力機器１に接続される無線通信装置には、図２に示した無線通信装置１０及び図８に示した無線通信装置１０ａのいずれを用いても良い。また、出力機器２に接続される無線通信装置には、図３に示した無線通信装置２０及び図９に示した無線通信装置２０ａのいずれを用いても良い。
【００７０】
転送部３５は、共通無線チャネルＣＨｃｍｎを介して受信した入力識別情報ＩＤｉｎが、無線通信装置３０ａに接続された情報処理装置３の識別情報と一致するか否かを判定する。両識別情報が一致すると判定した場合、転送部３５は、無線チャネルＣＨ１(又はＣＨ３)を介して受信した入力データＤｉｎを、情報処理装置インタフェース３３を経由して情報処理装置３へ転送する。一方、両識別情報が一致しないと判定した場合、転送部３５は、入力データＤｉｎを廃棄する。
【００７１】
これにより、図１２及び図１３に示す如く、入力機器に接続される無線通信装置と情報処理装置に接続される無線通信装置の間の通信に同一の無線チャネルを使用することができ、以て無線リソースの消費量を上記の実施の形態１及び２よりさらに低減できる。なお、図１２及び図１３には、本実施の形態に固有の動作を行う無線通信装置１０＿１及び３０ａ＿１〜３０ａ＿ｎを強調して示している。
【００７２】
より具体的には、図１２に示すように、無線通信装置１０＿１と無線通信装置３０ａ＿１〜３０ａ＿ｎの間の通信に同一の無線チャネルＣＨ１＿１を使用すると決定された場合、無線通信装置１０＿１は、情報処理装置３＿１〜３＿ｎの識別情報ＩＤ１〜ＩＤｎを、無線チャネルＣＨ１＿１と対応付けて記憶する。一方、無線通信装置３０ａ＿１、３０ａ＿２、…、３０ａ＿ｎ内の各記憶部３１は、識別情報ＩＤ１、ＩＤ２、…、ＩＤｎを、無線チャネルＣＨ１＿１とさらに対応付けて記憶する。
【００７３】
この後、入力機器１＿１から入力識別情報ＩＤｉｎ＝"ＩＤ１"が受信されたとすると、無線通信装置１０＿１内の送信部１２は、上記の実施の形態１と同様にして、入力識別情報ＩＤｉｎを無線通信装置３０ａ＿１〜３０ａ＿ｎへ通知する。そして、送信部１２は、入力機器１＿１からの入力データＤｉｎを、識別情報ＩＤ１に対応する無線チャネルＣＨ１＿１を介して送信する。
【００７４】
この結果、入力データＤｉｎは、無線通信装置３０ａ＿１〜３０ａ＿ｎの全てで受信されることなる。無線通信装置３０ａ＿１内の転送部３５は、入力識別情報ＩＤｉｎが情報処理装置３＿１の識別情報ＩＤ１と一致するため、受信した入力データＤｉｎを情報処理装置３＿１へ転送する。一方、無線通信装置３０ａ＿２〜３０ａ＿ｎ内の各転送部３５は、入力識別情報ＩＤｉｎが情報処理装置３＿２〜３＿ｎの識別情報ＩＤ２〜ＩＤｎと一致しないため、受信した入力データＤｉｎを廃棄する。
【００７５】
これにより、情報処理装置３＿１宛ての入力データＤｉｎが情報処理装置３＿２〜３＿ｎには到達しないため、情報処理装置３＿２〜３＿ｎの誤動作を防止することができる。
【００７６】
また、図１３に示すように、入力機器１＿１の接続先を情報処理装置３＿１から情報処理装置３＿２へ切り替える場合を例に取ると、まず、無線通信装置１０＿１内の送信部１２は、入力機器１＿１からの入力識別情報ＩＤｉｎ＝"ＩＤ２"を、無線通信装置３０ａ＿１〜３０ａ＿ｎへ通知する。そして、送信部１２は、入力機器１＿１からの入力データＤｉｎを、識別情報ＩＤ２に対応する無線チャネルＣＨ１＿２を介して送信する。
【００７７】
一方、入力識別情報ＩＤｉｎを受けた無線通信装置１０＿２内の送信部１２は、入力機器１＿２からの入力データ(図示せず)を、識別情報ＩＤ２に対応する無線チャネルＣＨ３_２を介して送信する。
【００７８】
この結果、入力データＤｉｎは、無線通信装置３０ａ＿１〜３０ａ＿ｎの全てで受信されることなる。無線通信装置３０ａ＿１内の転送部３５は、入力識別情報ＩＤｉｎが情報処理装置３＿１の識別情報ＩＤ１と一致しないため、入力データＤｉｎの情報処理装置３＿１への転送を停止する。また、無線通信装置３０ａ＿３〜３０ａ＿ｎ内の各転送部３５は、入力識別情報ＩＤｉｎが情報処理装置３＿３〜３＿ｎの識別情報ＩＤ３〜ＩＤｎと一致しないため、入力データＤｉｎの廃棄を継続する。一方、無線通信装置３０ａ＿２内の転送部３５は、入力識別情報ＩＤｉｎが情報処理装置３＿２の識別情報ＩＤ２と一致するため、受信した入力データＤｉｎを情報処理装置３＿２へ転送する。
【００７９】
このように、同一の無線チャネルを使用する場合であっても、入力機器を複数の情報処理装置間で共用させることができる。また、上記の実施の形態１で示した通り、
出力機器と情報処理装置間の通信には同一の無線チャネルを使用することができる。従って、本実施の形態においては、少なくとも入出力機器の数分の無線チャネルが使用できれば良く、他の無線通信システムとの電波干渉等を抑止することができる。
【００８０】
なお、上記の実施の形態によって本発明は限定されるものではなく、特許請求の範囲の記載に基づき、当業者によって種々の変更が可能なことは明らかである。
【図面の簡単な説明】
【００８１】
【図１】本発明の実施の形態１に係る情報処理システムの構成例を示したブロック図である。
【図２】本発明の実施の形態１に係る無線通信装置の第１の構成例を示したブロック図である。
【図３】本発明の実施の形態１に係る無線通信装置の第２の構成例を示したブロック図である。
【図４】本発明の実施の形態１に係る無線通信装置の第３の構成例を示したブロック図である。
【図５】本発明の実施の形態１に係る無線通信装置における識別情報及び無線チャネルの記憶動作例を示したブロック図である。
【図６】本発明の実施の形態１に係る無線通信装置における入力機器及び出力機器の接続先切替動作例を示したブロック図である。
【図７】本発明の実施の形態１に係る無線通信装置の第４の構成例を示したブロック図である。
【図８】本発明の実施の形態２に係る無線通信装置の一の構成例を示したブロック図である。
【図９】本発明の実施の形態２に係る無線通信装置の他の構成例を示したブロック図である。
【図１０】本発明の実施の形態２に係る無線通信装置の動作例を示したブロック図である。
【図１１】本発明の実施の形態３に係る無線通信装置の構成例を示したブロック図である。
【図１２】本発明の実施の形態３に係る無線通信装置の一の動作例を示したブロック図である。
【図１３】本発明の実施の形態３に係る無線通信装置の他の動作例を示したブロック図である。
【図１４】一般的な情報処理システムの構成例を示したブロック図である。
【符号の説明】
【００８２】
１, １＿１, １＿２  入力機器
２  出力機器
３, ３＿１〜３＿ｎ  情報処理装置
１０, １０＿１, １０＿２, １０ａ, １０ａ＿1, １０ａ＿２, ２０, ２０ａ, ３０, ３０＿１〜３０＿ｎ, ３０ａ, ３０ａ＿１〜３０ａ＿ｎ, ４０  無線通信装置
１１, ２１, ３１, ４１  記憶部
１２, ３２, ４２  送信部
１３  入出力機器インタフェース
１４, ２４, ３４, ４５  無線インタフェース
１５  要求部
２２, ４３  受信部
２３  出力機器インタフェース
２５  応答部
３３  情報処理装置インタフェース
３５  転送部
４４  機器／装置インタフェース
４６  判定部
１００  情報処理システム
ＣＨ１〜ＣＨ３, ＣＨ１＿１〜ＣＨ１＿ｎ, ＣＨ２＿１〜ＣＨ２＿ｎ, ＣＨ３＿１〜ＣＨ３＿ｎ  無線チャネル
ＣＨｃｍｎ  共有無線チャネル
Ｄｉｎ  入力データ
Ｄｏｕｔ  出力データ
Ｄｓｐ  特殊入力データ
ＩＤ１〜ＩＤｎ  識別情報
ＩＤｉｎ  入力識別情報
ＩＤａｓｇ  付与識別情報
ＩＤｓｅｌ  選択識別情報
ＩＮＦＯ＿ＣＨ  無線チャネル情報
ＩＮＦＯ＿ＵＮＱ  固有情報
ＬＳＴ  リスト
ＲＥＱ  リスト表示要求
【図１】
2010130503.tif 000003
【図２】
2010130503.tif 000004
【図３】
2010130503.tif 000005
【図４】
2010130503.tif 000006
【図５】
2010130503.tif 000007
【図６】
2010130503.tif 000008
【図７】
2010130503.tif 000009
【図８】
2010130503.tif 000010
【図９】
2010130503.tif 000011
【図１０】
2010130503.tif 000012
【図１１】
2010130503.tif 000013
【図１２】
2010130503.tif 000014
【図１３】
2010130503.tif 000015
【図１４】
2010130503.tif 000016